(57)【要約】  【課題】  手摺柱の枠組足場上段への移動操作性に優れて扱いやすい先行手摺を提供する。  【解決手段】  先行手摺１を、建枠２の脚柱３に着脱自在に固定可能な複数の手摺柱８と、各手摺柱８間に架設する伸縮式の横棧９とから構成する。前記手摺柱８には建枠２の脚柱３を抱持し、かつ建枠２の横架材５へ係止する係止フック１０を備え、この係止フック１０は下方向へ回動可能としていると共に、回動した係止フック１０を元の位置へ復帰させるバネを備える。【選択図】  図１
2005273365.tif 000002
【特許請求の範囲】
【請求項１】
建枠を上方向並びに水平方向に所望数配置して組み上げる枠組足場に設置する枠組足場の先行手摺であって、建枠の脚柱に着脱自在に固定可能な複数の手摺柱と、各手摺柱間に架設する伸縮式の横棧とからなり、前記手摺柱には建枠の脚柱を抱持し、かつ建枠の横架材へ係止する係止フックを備え、該係止フックは下方向へ回動可能なように基端部を軸支していると共に、下方向へ回動した係止フックを元の位置へ復帰させるバネなどの付勢手段を備えたことを特徴とする枠組足場の先行手摺。
【請求項２】
前記手摺柱の両側部には手摺柱を移動操作させる際に掴む操作ハンドルを備えたことを特徴とする請求項１記載の枠組足場の先行手摺。
【請求項３】
前記横棧は、屈曲自在にリンク接続して手摺柱間に連結したことを特徴とする請求項１または２記載の枠組足場の先行手摺。
【発明の詳細な説明】
【技術分野】
【０００１】
本発明は、土木、建築などの工事分野において、建築物の外壁などにそって設置する枠組足場の先行手摺に関する。
【背景技術】
【０００２】
土木、建築の建設工事現場において、枠組足場の建枠を上方向、水平方向に所要数連結して枠組足場を構築して施工しているが、その組み立てや解体では作業員はその最上段の足場の上に乗ってその作業を行っている。
【０００３】
ところが、最上段の足場には、その周囲に安全のための柱や手摺が無いことがあり、作業に恐怖感を憶えたり、転落などの危険性があった。そこで、その危険性を回避して安全に作業を行うことができるように、枠組足場の組み立て、或いは解体作業時においても、最上段の足場の周囲に常に手摺を先行させて設置することができる先行手摺が種々提案されている。
【０００４】
例えば、特許文献１には、図８に示すように、建枠１０２の脚柱１０３に着脱自在に固定できる複数の手摺柱１０４と、これら各手摺柱１０４を連結する、径の異なるパイプを伸縮自在に嵌挿させてなる伸縮手摺１０５と、から構成された枠組足場の先行手摺１０１が示されている。この先行手摺１０１によれば、枠組足場を組み立てていく際に、一本の手摺柱１０４を上段の足場側へ移動させると、それに応じてその両側に連結された伸縮手摺１０５が伸長するため、常に各手摺柱１０４が伸縮手摺１０５にて連結された状態を保つことができ、全長に渡って切れ目のない手摺が形成されて安全性が高い上に移動操作も簡便である。
【特許文献１】特開２００１−２８８８８３号
【発明の開示】
【発明が解決しようとする課題】
【０００５】
しかしながら、上記の先行手摺１０１では、手摺柱１０４を建枠１０２の脚柱１０３に沿わせた状態で上昇させていくと、建枠１０２の横架材１０６に係止させるための固定部材１０７が上位側の横架材１０６に当たって邪魔となるため、実際に移動させる場合には、一旦、手摺柱１０４を建枠１０２の脚柱１０３の側方へずらして取り外し、このずらした状態のままで上段の足場側へ移動させた後、再び脚柱１０３側に沿わせて取り付けるといった一連の操作が必要であり多少複雑で面倒である。
【０００６】
本発明は上記の点に鑑み、手摺柱の枠組足場上段への移動操作性に優れて扱いやすい先行手摺を提供することを課題とする。
【課題を解決するための手段】
【０００７】
本発明は、上記の課題を解決するために、請求項１記載の枠組足場の先行手摺にあっては、建枠を上方向並びに水平方向に所望数配置して組み上げる枠組足場に設置する枠組足場の先行手摺であって、建枠の脚柱に着脱自在に固定可能な複数の手摺柱と、各手摺柱間に架設する伸縮式の横棧とからなり、前記手摺柱には建枠の脚柱を抱持し、かつ建枠の横架材へ係止する係止フックを備え、該係止フックは下方向へ回動可能なように基端部を軸支していると共に、下方向へ回動した係止フックを元の位置へ復帰させるバネなどの付勢手段を備えたことを特徴としている。
【０００８】
また、請求項２記載の枠組足場の先行手摺にあっては、前記手摺柱の両側部には手摺柱を移動操作させる際に掴む操作ハンドルを備えたことを特徴としている。
【０００９】
また、請求項３記載の枠組足場の先行手摺にあっては、前記横棧は、屈曲自在にリンク接続して手摺柱間に連結したことを特徴としている。
【発明の効果】
【００１０】
本発明に係る請求項１記載の枠組足場の先行手摺によれば、建枠を上方向並びに水平方向に所望数配置して組み上げる枠組足場に設置する枠組足場の先行手摺であって、建枠の脚柱に着脱自在に固定可能な複数の手摺柱と、各手摺柱間に架設する伸縮式の横棧とからなり、前記手摺柱には建枠の脚柱を抱持し、かつ建枠の横架材へ係止する係止フックを備え、該係止フックは下方向へ回動可能なように基端部を軸支していると共に、下方向へ回動した係止フックを元の位置へ復帰させるバネなどの付勢手段を備えたので、手摺柱を建枠の脚柱に沿わせた状態のまま枠組足場上段側へ移動させることができ、移動操作が非常にシンプルで扱いやすい上、常に各手摺柱が横棧にて連結された状態を保つことができ、全長に渡って切れ目のない手摺が形成されて安全性が高い上に移動操作も簡便である。
【００１１】
また、請求項２記載の枠組足場の先行手摺によれば、前記手摺柱の両側部には手摺柱を移動操作させる際に掴む操作ハンドルを備えたので、手摺柱の移動操作性が良く、更に扱いやすくて好適である。
【００１２】
また、請求項３記載の枠組足場の先行手摺によれば、前記横棧は、屈曲自在にリンク接続して手摺柱間に連結したので、作業中や運搬中に横棧へ衝撃などが加わることによって横棧に多少歪みが生じたとしても手摺柱間の距離調整機能が低下してしまうようなおそれは小さく、操作性を良好に維持できて好適である。
【発明を実施するための最良の形態】
【００１３】
本発明に係わる請求項１記載の枠組足場の先行手摺は、建枠の脚柱に着脱自在に固定可能な複数の手摺柱と、各手摺柱間に架設する伸縮式の横棧とからなる。また、前記手摺柱には建枠の脚柱を抱持し、かつ建枠の横架材へ係止する係止フックを備え、該係止フックは下方向へ回動可能なように基端部を軸支していると共に、下方向へ回動した係止フックを元の位置へ復帰させるバネを備える。そして、各手摺柱の係止フックにて各建枠の脚柱を抱持させながら横架材へ係止させて手摺柱を固定させると、各建枠の脚柱間に横棧が水平に保持され、作業者の安全が確保される。
【００１４】
そして、更に上段へ枠組足場を組み上げるときには、手摺柱の固定を解除した後、作業者はこの手摺柱を両手で持ち、係止フックにて脚柱を抱持させたままの状態で手摺柱を脚柱に沿わせながら上段側の建枠へ押し上げるように移動させていく。このとき、係止フックの先端上部が上段側の建枠の横架材などに当接するが、係止フックはその基端部を中心に下方向へ回動して回避する構造としているため、手摺柱を脚柱から取り外して横へずらすような操作も必要なく脚柱に沿わせたままで移動させることができる。そして、係止フックが横架材位置を通り過ぎると、係止フックはバネによって元の係止可能な位置へ自動的に復帰し、そのまま手摺柱を下方へ下ろすと係止フックが横架材へと係止され、手摺柱は上段側の建枠に固定される。また、手摺柱を移動させる際、隣接する手摺柱との距離が変化するが、それに応じて横棧が自動的に伸縮動作する。そのため、いちいち横棧を取り外すことなく手摺柱を移動させることができ、常に各手摺柱が横棧にて連結された状態を保てて安全性が高い上に移動操作も簡便である。
【００１５】
このように、枠組足場を組み上げていく場合に、手摺柱を建枠の脚柱に沿わせた状態のまま枠組足場上段側へ移動させても、係止フックが自動的に横架材などを回避すると共に、横架材位置を通り過ぎれば自動復帰するため、手摺柱を脚柱から一旦ずらして取り外すような面倒な操作は必要なく、また各手摺柱を連結する横棧も手摺柱間の距離に応じて自動的に伸縮動作するため、これもいちいち取り外すような必要もなく、移動操作がシンプルで扱いやすく高所作業に適している。また、移動の最中に何かの拍子で手を滑らせたとしても、係止フックは常に建枠の脚柱を抱持した状態であるため、係止フックが間近の建枠の横架材などに引っ掛かることが期待でき、安全面においても好適である。
【００１６】
また、請求項２記載の枠組足場の先行手摺は、手摺柱の両側部に移動操作時に掴むための操作ハンドルを備えている。そして、枠組足場を組み上げる場合には、作業者は必ずしも持ち上げやすいとは言えない手摺柱本体を直接持つことなく、持ち上げ操作のし易い操作ハンドルを両手でしっかり掴んで手摺柱を移動させることができ、操作性が良くて扱いやすく好適である。
【００１７】
また、請求項３記載の枠組足場の先行手摺は、横棧を屈曲自在にリンク接続して手摺柱間に連結している。そして、この先行手摺を運搬する際、或いは枠組足場に取り付けて作業する際などに、先行手摺の横棧へ強い衝撃などが加わると横棧に歪みが生じる場合があるが、リンク機構という構造上、横棧に多少歪みが生じたとしても伸縮機能、即ち手摺柱間の距離調整機能が低下してしまうようなおそれは小さく、過酷な使用条件でもいつまでも操作性を良好に維持できて好適である。
【実施例】
【００１８】
以下、本発明の実施例を図面に基づいて説明する。
【００１９】
図中の１は建築現場などの周囲に設置される枠組足場であって、複数の建枠２を平行に立設し、各建枠２の脚柱３間に筋交い４を、横架材５間に足場板６をそれぞれ架設して組み上げている。７は枠組足場１に取り付けられる本発明の枠組足場の先行手摺であって、建枠２の脚柱３に着脱自在に固定可能な複数の手摺柱８と、これら各手摺柱８間に架設する伸縮式の横棧９とからなる。
【００２０】
前記手摺柱８は角柱状の柱材であって、その中間部側方に建枠２の横架材５へ係止させて支持固定するための係止フック１０を備えていると共に、その下位には建枠２の脚柱３を握持して手摺柱８がぐらつかないように固定する固定クランプ１１を備えている。また、手摺柱８の両側部には手摺柱８を移動操作させる際に作業者が掴む枠状の操作ハンドル１２を備えている。
【００２１】
前記係止フック１０は、図５に示すように、その途中を折曲加工しており、その先端部１０ａから中間部１０ｂによって建枠２の脚柱３を避けつつ脚柱３を抱持可能な構造としている。また、係止フック１０は、図５（ａ）の二点差線で示すように、下方向へ回動可能なようにその基端部１０ｃを、手摺柱８に固着した取り付け金具１３にピン１４にて軸支していると共に、下方向へ回動した係止フック１０を元の係止可能な位置へ復帰させる付勢手段であるバネ１５を備えている。１６は係止フック１０の回動を規制するためのストッパーであって、係止フック１０が係止位置よりも上方向へ回動してフックが外れてしまわないように図っている。
【００２２】
前記固定クランプ１１は、図６に示すように、略Ｕ字形状の固定金具１７と、該固定金具１７に穿設した透孔１８へ挿脱自在に備えたくさび１９とからなるものであり、固定金具１７にて建枠２の脚柱３を握持した後、透孔１８へくさび１９を打ち込むことで抜け止めを行って固定するようにしている。
【００２３】
また、手摺柱８の中間部には上下に間隔をおいて二つの支持片２０を固着しており、各支持片２０にはそれぞれ左右一対にリンク材２１を回動自在に軸着している。前記リンク材２１は、リンク材本体２２とその先端部に固着した取付片２３とから形成している。また、２４、２４´、及び２５、２５´は起立状態のリンク材本体２２を前後面より挟持して支持する支持板であり、手摺柱８の正面側に支持板２４、２５を、手摺柱８の裏面側に支持板２４´、２５´をそれぞれ固着している。なお、前記支持板２４´、２５´、及び手摺柱８下端部に備えたハンドル固定板２６の裏面側に、前記操作ハンドル１２の端部を固着して固定している。
【００２４】
そして、リンク材２１を起立状態にしたときには、支持板２４、２４´間、及び支持板２５、２５´間にリンク材本体２２が嵌り込んで起立状態が保持されるようにしている一方、リンク材２１先端部を手摺柱８より離間する方向に回動して傾倒させたときには、図３に示すように、リンク材本体下端部２２ａが手摺柱８の側面に当接し、略水平の状態で保持されるようにしている。したがって、各リンク材２１の回動範囲は、何れも垂直の起立状態から略水平位置の傾倒状態となるまでの範囲に規制されることとなる。
【００２５】
また、リンク材２１先端部の取付片２３には横棧９の一端部を回動自在に軸支していると共に、この横棧９の他端部を隣接するリンク材２１先端部の取付片２３へ同様に回動自在に軸支しており、手摺柱８間には上下二段に横棧９が架設される構成としている。また、これら上下二段の横棧９の中間部同士を中間リンク材２７にてリンク接続し、二段に架設した各横棧９の傾斜角度を同調させるように図っている。
【００２６】
また、前記取付片２３には、図３に示すように、横棧９の回動範囲を規制する回動規制材２８、２９を設けており、横棧９の先端部が回動規制材２８、２９に当接することにより、横棧９の回動範囲はリンク材本体２２長手方向に対して常に約９０°〜１３５°の範囲内に規制されるようにしている。このようにすることで、手摺柱８を枠組足場１の上段側へ移動させる際に、リンク材２１の回動と、横棧９とリンク材２１間の屈伸とがスムーズに行われるように図っている。
【００２７】
なお、本実施例では、横棧９として屈曲自在にリンク接続して手摺柱８間に連結したものを採用しているが、特にこれに限定するものではなく、径の異なる二本のパイプを嵌挿させて伸縮自在としたものでも勿論良いが、これだと作業中や運搬中に横棧９に強い衝撃などが加わることによって横棧９に歪みが生じた場合には、直ちに各パイプ同士が引っ掛かってしまって伸縮が困難となり、その結果、手摺柱８間の距離調整機能が低下してしまうおそれがある。これに対し、本実施例のようにリンク接続によって伸縮自在としたものであれば、横棧９に多少歪みが生じたとしても、リンク機構という構造上、伸縮機能、即ち手摺柱８間の距離調整機能が低下してしまうといったおそれは小さく、過酷な使用条件下でも長期に渡って安定した扱いやすさを保てて好適である。また、リンク材２１は手摺柱８に二本ずつ形成したが、一本ずつでも良く、また、隣接する手摺柱８の片方のみにリンク材２１を取り付け、横棧９の一端を前記リンク材２１に軸着すると共に、横桟９の他端を他方の手摺柱に直接軸着するようにしても良いなどの種々の変形も可能である。
【００２８】
しかして、枠組足場１を上方へ組み上げていく場合には、先ず最下段の各建枠２の脚柱３上端側から脚柱３に沿わせて手摺柱８を下ろしていき、係止フック１０にて脚柱３を抱持させながら係止フック１０を建枠２の横架材５へ係止させて手摺柱８を固定する。そして、これら各手摺柱８に一端を軸着したリンク材２１、及び横棧９をリンク接続し、作業安全用の柵を形成する。
【００２９】
次いで、上記最下段の建枠２の上に上段側の建枠２を組み立てた後、前記手摺柱８の操作ハンドル１２を持って、図２に示すように、手摺柱８を建枠２の脚柱３に沿わせながら上段側へ押し上げていく。このとき、手摺柱８は移動の最中も係止フック１０が脚柱３を抱持し続けているため、もともと操作ハンドル１２によって作業者が移動操作しやすく扱いやすい構造としているものの、作業者が何かの拍子で手を滑らせるようなことがあったとしても係止フック１０が直下の建枠２の横架材５へ係止されやすく危険は少ない。一方、手摺柱８の上昇に応じてリンク材２１が傾倒していくと共に、横棧９は斜めに傾斜していって自動的に長さ調整が行われる。このため、常に横棧９を取り付けたままで手摺柱８を移動させることができて安全性が高い上に、いちいち取り外す必要もなくて移動操作が簡便である。そして、やがて係止フック１０が上段側の建枠２の横架材５などに当たることになるが（図７ａ）、その際は係止フック１０先端側が下方向へ回動して自動的に回避されるため（図７ｂ）、手摺柱８はそのまま押し上げることができる。係止フック１０が横架材５位置を通過すれば、係止フック１０はバネ１５によって元の係止可能な位置に直ちに復帰し（図７ｃ）、あとはそのまま手摺柱８を下ろせば係止フック１０がその横架材５へ係止され、手摺柱８は支持固定される（図７ｄ）。このため、作業者は終始操作ハンドル１２のみを両手でしっかり掴んだ状態で手摺柱８を移動操作することができ、扱いやすい上に安全性も高い。
【００３０】
続いて、隣接する手摺柱８を上記同様に脚柱３に沿わせながら持ち上げていくと、先程傾倒したリンク材２１が上方へと押し上げられて起立状態となると共に、横棧９が再び水平状態となり、その状態で手摺柱８の係止フック１０を上段側の建枠２の横架材５へ係止させて手摺柱８を固定する。そして、更にその上段に足場を組み上げていくのであれば、上記と同様の作業を繰り返し行う。また、組み上げを終えるのであれば、各手摺柱８の固定クランプ１１の固定金具１７にくさび１８を打ち込んで手摺柱８がぐらつかないように堅固に固定する。
【００３１】
このように、枠組足場１を組み上げていく場合に、手摺柱８を建枠２の脚柱３に沿わせた状態のまま枠組足場１上段側へ移動させることができるため、手摺柱８を脚柱３からわざわざ一旦ずらして取り外すような面倒な操作が必要なく、また手摺柱８の移動に応じて横棧９が自動的に伸縮動作するため、いちいち横棧９を取り外す必要もなく、移動操作がシンプルで扱いやすい。また、手摺柱８を移動する最中に何かの拍子で手を滑らせたとしても、係止フック１０は常に建枠２の脚柱３を抱持した状態であるため、係止フック１０が直ぐ下側の建枠２の横架材５などに引っ掛かりやすく、安全性が高くて好適である。また、手摺柱８の周囲に移動操作用の操作ハンドル１２を備えているため、両手でしっかり掴んだまま手摺柱８を移動させることができ、移動操作性が良くて扱いやすい上に安全性も高くて好適である。更に、手摺柱８間には屈曲自在にリンク接続した横棧９を連結しているため、作業中や運搬中に横棧９に強い衝撃などが加わることによって横棧９に多少歪みが生じたとしても、リンク機構という構造上、伸縮機能、即ち手摺柱８間の距離調整機能が低下してしまうといったおそれは小さく、扱いやすさを良好に維持できて好適である。
【００３２】
一方、枠組足場１を解体していく場合には、手摺柱８を少し持ち上げて係止フック１０の横架材５への係止を解除した後、手で係止フック１０先端側を押し下げて回動させて横架材５に当たらないようにして、手摺柱８を脚柱３に沿わせて引き下ろしていく。このとき、手摺柱８の下降に応じて隣接する側の手摺柱８のリンク材２１が傾倒していくと共に、横棧９は斜めに傾斜していって自動的に長さ調整が行われる。そして、係止フック１０が横架材５位置を通過してから係止フック１０から手を離すと、係止フック１０はバネ１５によって元の係止可能な位置に直ちに復帰し、あとはそのまま手摺柱８を下段側の建枠２の横架材５まで下ろせば係止フック１０がその横架材５へ係止され、手摺柱８は支持固定される。
【００３３】
続いて、隣接する手摺柱８を上記同様に脚柱３に沿わせながら引き下ろしていくと、先程傾倒したリンク材２１が上方へと押し上げられて起立状態となると共に、横棧９が再び水平状態となり、その状態で手摺柱８の係止フック１０を下段側の建枠２の横架材５へ係止させて手摺柱８を固定し、その後、上段に残った建枠２を取り外す。そして、これと同様の作業を繰り返し行い、各手摺柱８を最下段の建枠２まで引き下ろし終われば、各手摺柱８間の横棧９を取り外した後、最後に各手摺柱８を上に引き上げて脚柱３上端側より引き抜く。
【００３４】
このように、枠組足場１を解体していく場合にも、横架材５を回避させる間だけ係止フック１０を手で回動させれば、手摺柱８を建枠２の脚柱３に沿わせた状態のまま枠組足場１下段側へ移動させることができるため、枠組足場１を組み上げていく場合と同様に、手摺柱８を脚柱３からわざわざ一旦ずらして取り外すような面倒な操作も必要なく、移動操作がシンプルで扱いやすく好適である。
【００３５】
なお、上記実施例では、手摺柱８を引き下ろす場合には、係止フック１０と横架材５とが当たるのを回避するのに片手を使って係止フック１０を回動させているため、その間は手摺柱８をもう片方の手のみで支持することとなって多少安定度が落ちるが、例えば、係止フック１０に回動用のペダルやスイッチなどを備え、それらの操作に応じて係止フック１０が回動するようにしておけば、手摺柱８を引き下ろす間も両手で支持することができ、より安全性を高めることが可能となって好ましい。
【図面の簡単な説明】
【００３６】
【図１】本発明に係る先行手摺を枠組足場に設置した状態を示す図である。
【図２】図１の要部拡大図である。
【図３】図１の手摺柱部分の拡大図である。
【図４】建枠の脚柱に固定した状態の手摺柱の、（ａ）正面図、（ｂ）一部切り欠き側面図、（ｃ）一部切り欠き背面図、（ｄ）平面図である。
【図５】係止フックの、（ａ）正面図、（ｂ）側面図、（ｃ）平面図である。
【図６】図２のＡ−Ａ拡大断面図である。
【図７】係止フックが建枠の横架材を回避する様子を説明する説明図である。
【図８】従来の先行手摺を示す図である。
【符号の説明】
【００３７】
１…枠組足場                  ２…建枠
３…脚柱                      ４…筋交い
５…横架材                    ６…足場板
７…先行手摺                  ８…手摺柱
９…横棧                      １０…係止フック
１１…固定クランプ            １２…操作ハンドル
１５…バネ（付勢手段）        ２１…リンク材
【図１】
2005273365.tif 000003
【図２】
2005273365.tif 000004
【図３】
2005273365.tif 000005
【図４】
2005273365.tif 000006
【図５】
2005273365.tif 000007
【図６】
2005273365.tif 000008
【図７】
2005273365.tif 000009
【図８】
2005273365.tif 000010